(57)【要約】【課題】カードの脱落防止機能や紛失防止機能に優れ、かつ、身分証のような首掛け式のカードについてもデータ窃取・改竄防止機能に優れている非接触式カード用保護具を提供する。【手段】保護具は、カードＣが収納されたカードホルダー１と、これを覆う外カバー２とを備えており、カードホルダー１又は外カバー２には紐３を取り付けることが可能である。カードホルダー１は電磁波透過性素材からなっており、外カバー２は電磁波を遮断できる。カードホルダー１はスライド操作により、外カバー２から完全に離脱させたり格納したりすることができる。【選択図】図１
2007140776.tif 000002
【特許請求の範囲】
【請求項１】
記録された情報がリーダーに接触させることなく読み取られる非接触式カードを脱落不能に保持するカードホルダーと、カードホルダーの全体又は大部分を覆う外カバーとを備えており、
前記カードホルダーは電磁波透過素材からなっている一方、前記外カバーのうち少なくとも非接触式カードを覆う部分は電磁波遮蔽層を備えており、更に、
外カバーとカードホルダーとは、少なくとも非接触式カードを完全に覆った状態と少なくとも非接触式カードを完全に露出させた状態とに切り換えできる状態に保持されており、
かつ、前記カードホルダーと外カバーとのうちいずれか一方に、紐類を取り付けているか又は取り付けていない、
非接触式カード用保護具。
【発明の詳細な説明】
【技術分野】
【０００１】
本願発明は、例えばＩＣカードのような非接触式カードの保護具に関するものである。
【背景技術】
【０００２】
近年、ＩＣカードを始めとした情報担持カードは、キャッシュカード、社員証等の身分証（ＩＤカード）、施設や会社等への入場証、定期券、クレジットカード、組合員証、健康保険証、診察券、メンバーズカード等の様々の分野に使用されている。そして、カード類が広く普及すると共に、記録されているデータの違法な読み取り（窃取：スキミング）や改竄、故意又は事故によるデータ破壊が問題になっている。特に、非接触式カードはデータの交信を瞬時に行えて使用者には便宜である一方、データの読み取りが容易であるため、スキミングの問題は切実である。
【０００３】
そこで、データの保護手段として、電磁波を遮断する素材からなる保護ケースが多数提案されており、かつ、現実に使用されている。その例として例えば特許文献１には、複数枚のカードを収納できる保護ケース及び収容具が開示されている。また、財布や定期入れのような袋物に電磁波遮蔽機能を持たせることも多数提案されている。
【特許文献１】特開２００４−１０２４７３号公報
【発明の開示】
【発明が解決しようとする課題】
【０００４】
ところで、従来のカード用保護ケースを初めとした保護手段は、カードの不使用時に電磁波を遮断して窃取等から保護するものであり、使用時には、カードそのものを取り出すようにしている。磁気カードのような接触式カードの場合は使用に際して当然にカード自体を取り出す必要があるが、ＩＣカードのような非接触式カードについても、カード自体をケースや財布等から取り出している。このため、カードを落したり紛失したりしやすいという問題があった。
【０００５】
他方、社員証のような身分証はカードホルダーに収納しており、紐を付けて首に掛けたり、或いは、クリップで胸ポケットに止めたりしており、ＩＣカード化することにより、使用に際して一々カードを取り出す必要を無くしている。しかし、カードは外部からの電磁波に晒されているため、データの窃取や改竄・破壊に対しては全く無防備であるという問題があった。
【０００６】
本願発明は、このような現状を改善することを課題とするものである。
【課題を解決するための手段】
【０００７】
本願発明は、ＩＣカード等の非接触式カードはそれ自体を直接に手で持たなくても使用できるという特性に着目して、本願発明を完成させるに至った。
【０００８】
すなわち本願発明は、非接触式カードの保護シールド具に係るものであり、この保護具は、記録された情報がリーダーに接触させることなく読み取られる非接触式カードを脱落不能に保持するカードホルダーと、カードホルダーの全体又は大部分を覆う外カバーとを備えている。
【０００９】
そして、前記カードホルダーは電磁波透過素材からなっている一方、前記外カバーのうち少なくとも非接触式カードを覆う部分は電磁波遮蔽層を備えており
、更に、外カバーとカードホルダーとは、少なくとも非接触式カードを完全に覆った状態と少なくとも非接触式カードを完全に露出させた状態とに切り換えできる状態に保持されており、かつ、前記カードホルダーと外カバーとのうちいずれか一方に、紐類を取り付けているか又は取り付けていない。
【００１０】
なお、本願発明の構成のうち、「少なくとも非接触式カードを完全に覆った状態と少なくとも非接触式カードを完全に露出させた状態とに切り換えできる状態に保持されており」には、カードホルダーと外カバーとが分離できない状態に連結されている場合と、紐のような他の物を介して離反できる状態につながっている場合との両方を含んでいる。また、紐類という用語は、一般的な意味での紐に加えて、ゴム紐やコイルスプリングのような伸縮するもの、細かい目のチェーンなど、細長いものを含む総称として使用している。
【発明の効果】
【００１１】
本願発明によると、非接触式カードはカードホルダーに収容したままでデータをリーダーで読み取ることができるため、カードを落した紛失したりすることを抑制できる。また、不使用時にはカードは電磁波を遮蔽する外カバーで覆われているため、データのスキミングや改竄、或いは、何らかのアクシデントで電磁波を受けることによるデータの破損といったことを確実に防止できる。
【００１２】
更に、本願発明の特徴は非接触式カード自体を直接にシールド材で覆うのではなく、非接触式カードが収容されているカードホルダーを電磁波遮蔽性外カバーで覆うものであり、このため、身分証のようにカードホルダーに収納されているカード類についてもスキミングやデータ改竄、破壊から的確に防止できるのである。特に、カードホルダー又は外カバーに紐を付けると、紐をループ状にして首に掛けたり、クリップを介して胸ポケットに取り付けたりとういことができるため、身分証類に適用することが極めて容易である。
【００１３】
また、カードホルダー又は外カバーに紐類を設けると、紐類を手首に巻いたり、カバン類に取り付けたりということも簡単に行え、このため、ファション性にも優れている。なお、１本の紐類に本願発明の保護具、携帯電話、キー、アクセサリーなどの複数の物品を付けることも可能である。
【発明を実施するための最良の形態】
【００１４】
次に、本願発明の実施形態を図面に基づいて説明する。
【００１５】
(1).第１実施形態及びその変形例
図１〜図２では第１実施形態とその変形例を示している。図１のうち（Ａ）は不使用状態での保護具の正面図、（Ｂ）は使用可能状態での保護具の図で、図２のうち（Ａ）は図１のＡ−Ａ視断面図、（Ｂ）は図１のＢ−Ｂ視断面図、（Ｃ）は図１のＣ−Ｃ視断面図、（Ｄ）〜（Ｆ）は変形例を（Ａ）と同じ部分を示す図である。
【００１６】
本実施形態の保護具は首掛け式のものに適用しており、保護具は、ＩＣカード等の非接触式カード（以下、単に「カード」という）Ｃを収容したカードホルダー１と、カードホルダー１の大部分を覆う外カバー２とを備えており、カードホルダー１の上部にはループ状の紐３を取り付けている。紐３は天然繊維や化繊を素材としている。本実施形態のカードＣは身分証を想定しており、顔写真と所定の事項が表示されていると共に、所定のデータが記録されている（言うまでもないが、カードＣの外観や表面の表示内容は種類によって様々に変わる）。
【００１７】
図２から理解できるように、カードホルダー１は、裏シート１ａと表シート１ｂとをその周縁部において溶着することで袋状に形成されており（溶着部を図２（Ｃ）において符号４で示している）、表シート１ｂに、カードＣを出し入れするための切り込み（又はスリット）５を形成している。このため、カードＣは抜き差し可能でかつ脱落することはない。なお、カードＣはラミネート加工によってカードホルダー１に抱持しても良い。
【００１８】
カードホルダー１を構成する表裏のシート１ａ，１ｂは、例えばポリプロピレンやＰＥＴ樹脂のような合成樹脂シートからなっており、従って、カードホルダー１は電磁波を透過する。表シート１ｂはカードＣの表示の視認性保持のため透明であるあるが、裏シート１ａは透明でも良いし不透明でも良い。なお、表裏シート１ａ，１ｂの素材を変えたり、両シート１ａ，１ｂは単層でよいし、いずれか一方又は両方を積層構造にしても良い。
【００１９】
本実施形態のカードＣは上下に長い形状で、かつ上端縁は上向き凸の円弧状に丸みを帯び、下端縁は下向き凸の円弧状に丸みを帯びており、上端寄り部位に紐３が通る穴６を空けている。
【００２０】
他方、外カバー２は、表裏板２ａ，２ｂと左右の側板２ｃとを有して全体として扁平な中空板状に形成されている。外カバー２における表裏板２ａ，２ｃの上部と下部とには、カードホルダー１の上部を露出させる上えぐり部７と下えぐり部８とが形成されており、表裏板２ａ，２ｃは上えぐり部７の左右両側の肩部９で一体に連結されている。このため、外カバー２はカードホルダー１の上端縁に載った状態で落下不能に保持される。
【００２１】
他方、カードホルダー１は下えぐり部８の左右両側の部位において下向きに開口しており、このため、図１（Ｂ）に示すように外カバー２を上方にスライドさせてカードホルダー１の全体を露出させることができる。上えぐり部７は上向き凹の円弧状に形成されており、このため、紐３の取り付け箇所が露出している。他方、下部えぐり部８は下向き凹の円弧状に形成されており、このため、人がカードホルダー１の下部を手で摘むことが容易ならしめられている（カードホルダー１の下部が下向き凸の円弧状であることも、摘まみ易さを助長している）。
【００２２】
外カバー２の本体部分はＡＢＳ樹脂やポリカーボネイト、或いはポリプロピレン等樹脂からなっており、表裏板の２ａ，２ｂの内面に薄い金属板（或いは金属箔）からなる電磁波遮蔽層１０を、熱溶着等の溶着、接着剤を使用した接着、インサート成形による接着等等の適宜手段によって固着している。金属板又は金属箔の素材としては、アルミや鉄、銅などが挙げられる。電磁波遮蔽層１０は単一層でも良いし単一素材又は異種素材の複合構造でも良い。外カバー２の本体部は例えば射出成形によって製造されている。
【００２３】
電磁波遮蔽層１０は、カードホルダー１を収容した状態でカードＣの全体に重なる大きさに設定されている。このため、図１（Ａ）のようにカードホルダー１を外カバー２で覆った状態ではカードＣに電磁波が透過することはなく、このため、スキミングやデータの破壊・改竄を確実に防止できる。カードＣの使用に際しては、外カバー２をずらしてカードホルダー１を露出させたら良い。
【００２４】
外カバー２をずらしてカードホルダー１を露出させるに際して、紐３が外カバー２の内部を通るが、本実施形態では、紐３はある程度の太さがあるため、紐３のうちカードホルダー１への取り付け部３ａが潰れ変形して外カバー２の内部に入り込む。従って、例えば外カバー２を手で上向きに持ち上げた程度ではカードホルダー１がずり下がることはない。つまり、紐３の取り付け部３ａが外カバー２に対するストッパーの役割を果たして、カードホルダー１を外カバー２で覆った状態を保持している。
【００２５】
図２（Ｄ）〜（Ｆ）では外カバー２の構造の変形例を示している。このうち（Ｄ）に示す例では、外カバー２の表裏層を、それぞれアルミ板又はアルミ箔等の電磁波遮蔽層１０の表裏に樹脂層１１をコーティング又はラミネートした構造として、両者を溶着又は接着によって一体化している。他方、（Ｅ）に示す例では、電磁波遮蔽層１０を溶着又は接着等した樹脂製の表裏板２ａ，２ｂを溶着することによって中空板状に形成している。
【００２６】
他方、（Ｆ）に示す例では、例えばアルミダイキャストのような成形加工又は板金加工により、外カバー２の全体を金属で中空板状に形成している。この場合、美感の面から、外カバー２の表面には塗装したり樹脂フィルムを貼ったりするのが好ましい。なお、一つの外カバー２に複数枚のカードホルダー１を収納することも可能である。
【００２７】
(2).第２実施形態（図３）
図３では第２実施形態を示している。（Ａ）は正面図、（Ｂ）は（Ａ）のＢ−Ｂ視断面図、（Ｃ）は変形例で（Ｂ）と同じ箇所の図である。この実施形態では、外カバー２は、一方の縦辺と下辺との２つの辺を外向きに開口し、かつ、外カバー２とカードホルダー１とを、外カバー２の上辺部のうち開口縁の近傍部においてピン１２で連結している。このため、カードホルダー１はピン１２を中心にして回動させることにより、全体として露出させたり外カバー２に収納したりすることができる。
【００２８】
この実施形態では、紐３は外カバー２に取り付けており、また、外カバー２のうち開口した２つの辺が交差するコーナー部には、カードホルダー１を摘むための切欠き部１３を形成している。一つの外カバー２に１枚のカードホルダー１を取り付けることも可能であるか、図３（Ｃ）に示すように、一つの外カバー２に複数のカードホルダー１を取り付けることも可能である。
【００２９】
(3).第３実施形態（図４）
図４では第３実施形態を示している。（Ａ）は正面図、（Ｂ）は（Ａ）のＢ−Ｂ視断面図段である。この実施形態では、外カバー２に紐３を取り付けた構造において、紐３の取り付け部と反対側をカードホルダー１の引き出し口として開口し、外カバー２の内部に、カードホルダー１を、全体又は大部分部が隠れた状態から大部分を露出させた状態までスライド自在に内装している。
【００３０】
外カバー２とカードホルダー１とには、カードホルダー１を大部分露出させた状態から抜き外しできないように保持するストッパー（図示せず）を設けており、また、外カバー２の開口縁には、カードホルダー１を引き出しを容易にするための切欠き部１３を形成している。更に、外カバー２の適宜部位に、カードホルダー１を表裏両側から弾性的に挟持する押圧部１４を形成している。このため、カードホルダー１が簡単に露出することはない。
【００３１】
(4).第４実施形態（図５）
図５では第４実施形態を示している。（Ａ）は正面図、（Ｂ）は（Ａ）のＢ−Ｂ視断面図である。但し、（Ｂ）では紐３は省略略している。）。
【００３２】
この実施形態では、外カバー２を構成する表板２ａと裏板２ｂとその間に挟まれたカードホルダー１とをその上端縁の蝶番部１６においてめくり返し可能に連結しており、かつ、三者の上端部に紐３を通している。
【００３３】
つまり、この実施形態は、外カバー２の表裏板２ａ，２ｂとカードホルダー１とがノート状に綴じた状態になっており、使用に際しては、外カバー２の表裏板２ａ，２ｂを捲ってカードホルダー１を露出させる。例えば人が紐３を首に掛けて外カバー２とカードホルダー１とが吊り下げられると、外カバー２の表裏板２ａ，２ｂが自重で閉じ勝手になるため、カードホルダー１が外カバー２で覆われた状態が保持される。
【００３４】
(5).第５実施形態（図６）
図６では第５実施形態を示している。（Ａ）は概略を示す破断正面図、（Ｂ）はストッパー手段を示す断面図、（Ｃ）は（Ｂ）のＣ−Ｃ視断面図である。
【００３５】
この実施形態では、図４の実施形態と同様に、外カバー２は紐３の取り付け部と反対側の部分が開口している（外カバー２の本体部は樹脂製であり、内面に図示しない電磁波遮蔽層１０を設けている。）。そして、外カバー２の奥部とカードホルダー１とを引っ張りばねで１７で連結することにより、カードホルダー１を収納する方向に引っ張っている。従って、カードＣを使用するに際しては、カードＣを引っ張りばね１７に抗して引き出すことになる。
【００３６】
そして、カードホルダー１を引き出した状態に保持するためのストッパー手段の一例として、外カバー２の側面部に、ピン部１８を除いてスリット１９で囲われた回動片２０を形成している。ピン部１８は外カバー２の厚さ方向に延びており、かつ、ピン部１８は回動片２０の前端と後端との間の中途部に位置している。そして、回動片２０のうち外カバー２の開口縁の側に位置した先端部に、カードホルダー１を引き出した状態に保持する爪２１を形成している。
【００３７】
爪２１は、外カバー２の開口縁に向かって突出高さが高くなるように傾斜しており、このため、カードホルダー１を引き出すと、回動片２０が弾性変形してカードホルダー１の後端縁は爪２１を乗り越えて、カードホルダー１は引き出した状態に保持される。そして、回動片２０の後端部には外向きに突出して突起２２を形成しており、人が突起２２を指で押すと、回動片２０はピン部１８を中心にして回動することにより、爪２１がカードホルダー１の後端縁から離脱し、カードホルダー１はばね１７で引っ張られて外カバー２の内部に引き込まれる。
【００３８】
ストッパー手段は他の構造も採用できる。また、本実施形態とは逆に、カードホルダー１をばねで引き出し方向に押すと共に、プッシュ式又はスライド式のボタンを有するストッパー手段で後退状態に保持し、ボタンをプッシュ又はスライドさせるとカードホルダー１が露出するように構成することも可能である。
【００３９】
(6).第６実施形態（図７）
図７では第６実施形態を示している。（Ａ）は使用態様の一例を示す斜視図、（Ｂ）は保護具の正面図、（Ｃ）は（Ｂ）のＣ−Ｃ視断面図である。この実施形態では、保護具は紐３を備えているが、紐３は、円形のケース２３に内蔵したリール（図示せず）に巻かれており、リールは紐３をばねによって巻き戻す方向に弾性的に付勢されている。
【００４０】
そした、保護具は扁平中空状の外カバー２とその内部に収納されたカードホルダー１とを備えており、カードホルダー１の一端部に紐３を直接に又はクリップ類を介して繋いでいる。従って、カードホルダー１はケース２２に内蔵したばねに抗して引き出すことができ、かつ、引き出した状態でカードホルダー１から手を離すと、カードホルダー１は外カバー２の内部に自動的に戻り格納される。
【００４１】
この実施形態では、カードホルダー１を片手で摘んで引っ張るだけでカードＣを使用可能な状態で外カバー２の外側に引き出すことができる。従って、例えば定期券や入館証の使用に便宜である。カードホルダー１を片手で掴み易くするため、カードホルダー１の左右側部に、外カバー２の側面から突出した突出部２４を形成している。外カバー２の側板２ｃは突出部２４の箇所で切り開かれている。
【００４２】
この実施形態では、カードホルダー１はある程度の剛性を有していることが好ましい。ケース２３には、カバンＢの取手Ｂ１等に取り付けるための係止材（紐やクリップ類）を設けている。紐３の戻りによってカードホルダー１が外カバー２の内部に戻るに際して戻り姿勢がガイドされるのが好ましい。ガイド手段の例としては、外カバー２の開口部に誘い込みの傾斜部を形成したり、紐３を帯状に形成することが考えられる。
【００４３】
(7).その他
本願発明は上記の実施形態の他にも様々に具体化できる。例えば、外カバーやカードホルダーの具体的な形状はデザイン等の要請に応じて自由に設定できる。また、カードホルダー又は外カバーに紐を設けることに代えて、胸ポケットに取り付けるためのクリップを設けるといったことも可能である。外カバーの表面には様々の表示を施したり、布を貼る等の美粧を施すことも可能である。
【図面の簡単な説明】
【００４４】
【図１】第１実施形態を示す図である。
【図２】（Ａ）〜（Ｂ）は図１の断面図、（Ｄ）〜（Ｆ）は変形例を示す図である。
【図３】第２実施形態を示す図である。
【図４】第３実施形態を示す図である。
【図５】第４実施形態を示す図である。
【図６】第５実施形態を示す図である。
【図７】第６実施形態を示す図である。
【符号の説明】
【００４５】
Ｃ  非接触式カード
１  カードホルダー
２  外カバー
３  紐
１０  電磁波遮蔽層
【図１】
2007140776.tif 000003
【図２】
2007140776.tif 000004
【図３】
2007140776.tif 000005
【図４】
2007140776.tif 000006
【図５】
2007140776.tif 000007
【図６】
2007140776.tif 000008
【図７】
2007140776.tif 000009